(57)【要約】  オンラインおよび／またはオフライン広告インタラクションは、個々のユーザーについて追跡される。この情報が利用されて、広告についてのディスプレイパラメータを調整する。広告インタラクションは、広告主がより良いターゲット広告に対する広告キャンペーンを調整することを可能としている。追跡されたインタラクションは、限定されないが、選択（クリックすることなど）および／または転換（購買）などを含んでいる。いくらかのインスタンスは、特定のユーザのインタラクション情報を採用して、例えば、ロケーション、頻度および／またはディスプレイされた広告を誰に向けるかを自動的に調整する、ディスプレイコンポーネントを含んでいる。インタラクション情報は、また、広告主に、情報および／または広告キャンペーンなどの調整についての費用をせいきゅうすることによって収入を産み出すために利用されることができる。インスタンスは、オンラインおよび／またはオフライン広告メディアで利用されることができる。
2010510579.tif 000002
【特許請求の範囲】
【請求項１】
広告インタラクションを追跡するシステムであって、
広告に関連するユーザーのインタラクション情報を受け取るインタラクション受信コンポーネント２０８と、
特定のユーザーの広告とのインタラクションを追跡し、広告主が、追跡したインタラクションの結果のように広告キャンペーンを調整することができるようにする、インタラクション追跡コンポーネント２１０、３０２、４０２、５０８と
を備えることを特徴とするシステム。
【請求項２】
前記ユーザーのインタラクション情報は、転換の総数および／または広告に関連した選択の印象を含むことを特徴とする請求項１に記載のシステム。
【請求項３】
前記広告キャンペーンの調整は、コピーおよび／またはプレゼンテーション、ポジション、および／または広告に関連した入札の変化を含むことを特徴とする請求項１に記載のシステム
【請求項４】
検索、文脈および／またはディスプレイ広告において、請求項１に記載のシステムを採用した広告システム。
【請求項５】
請求項１のシステムを採用したオフライン広告システム。
【請求項６】
請求項１のシステムを採用して、ゲーム内での広告を決定するオンラインゲームシステム。
【請求項７】
クライアント側デバイスに存在し、追跡された特定のユーザーの少なくとも１つの広告とのインタラクションを通信する少なくとも１つのクライアント追跡コンポーネント３０４と、
サーバー側デバイスに存在し、追跡された特定のユーザーの広告についてのインタラクションをクライアント追跡コンポーネントから受け取る、集中化された追跡コンポーネント３０６、４０６と
を備えた請求項１に記載のシステム。
【請求項８】
集中化された追跡コンポーネントは、クライアント追跡コンポーネントがインターネット通信を確立した時に、追跡された特定のユーザーのインタラクションを取得することを特徴とする請求項７に記載のシステム。
【請求項９】
クライアント側デバイスに存在し、広告インタラクションをリポートする、少なくとも１つのクライアントリポーティングコンポーネント４０４と、
サーバー側デバイスに存在し、リポートされた広告インタラクションを受け取り、特定のユーザーに基づくこの情報を追跡する、集中化された追跡コンポーネント３０６、４０６と
をさらに備えることを特徴とする請求項１に記載のシステム。
【請求項１０】
追跡されたインタラクションの結果に基づいて広告をディスプレイして、広告主の広告キャンペーンを調整する、インタラクションベースのディスプレイコンポーネント５１０をさらに備える請求項１に記載のシステム。
【請求項１１】
所与の広告および／または広告主６０４とのユーザーインタラクションを追跡すること、
少なくとも部分的に、追跡されたユーザーインタラクションに関連する情報を採用して、広告選択、ロケーション、展示および／またはユーザー６０６との将来の広告インタラクションの金銭化(monetization)を決定することと
を含むことを特徴とする広告の効果を高める方法。
【請求項１２】
サーバーおよび／またはクライアントにおいて追跡されたユーザーインタラクションをストアすることをさらに含む請求項１１に記載の方法。
【請求項１３】
現在のユーザーとのインタラクションについての広告主の程度に基づく広告ロケーションに、広告主を選択することをさらに含む請求項１１に記載の方法。
【請求項１４】
追跡されたユーザーインタラクション７０６に関連する情報を広告主に請求することによって収入を産み出すことを特徴とする請求項１１に記載の方法。
【請求項１５】
広告主から取得した転換情報を、追跡されたユーザーインタラクションの一部として、ユーザーのために利用することを含むことを特徴とする請求項１１に記載の方法。
【請求項１６】
ユーザー選択および／または特定の広告２０８についての転換情報を取得するための手段と、
特定のユーザーおよび広告の情報を追跡して、広告２１０、３０２、４０２、５０８のディスプレイの増大を可能とするための手段と
を備えることを特徴とする広告インタラクションを追跡するシステム。
【請求項１７】
追跡情報５１０に基づいて増大された広告をディスプレイするための手段をさらに備えることを特徴とする請求項１６に記載のシステム。
【請求項１８】
請求項１のシステムのコンピュータ実行可能コンポーネントをストアしたコンピュータ可読媒体。
【請求項１９】
コンピュータ、サーバー、ハンドヘルド電子デバイスからなるグループから選択された少なくとも１つを備えることを特徴とする請求項１１に記載の方法を採用したデバイス。
【請求項２０】
コンピューター、サーバー、ハンドヘルド電子デバイスからなるグループから選択された少なくとも１つを備える請求項１のシステムを採用したデバイス。
【発明の詳細な説明】
【技術分野】
【０００１】
本発明はユーザーインタラクション（interaction:相互作用、ふれ合うこと）に偏した(biased)広告に関する。
【背景技術】
【０００２】
いずれのコマーシャルマーケット環境においても、広告は、典型的にはキーとなる収入源である。できるだけ多くの消費者に届けるために、広告は伝統的に広告板、テレビ、ラジオや新聞および雑誌などの印刷媒体によって提供されている。しかしながら、インターネットの利用拡大に伴って、広告主は、広大で様々な地理的スパンにわたって、潜在的な顧客が非常に多数に達する状態にあることが認識した。これらの種類の広告は、特定のサイトが訪問された時のポップアップウインドウにおいてだけでなく、ウェブページまたはウェブサイトにおいて見られる。
【発明の概要】
【発明が解決しようとする課題】
【０００３】
一般に、広告スペースは、非限定的な資源ではない。それゆえ、多くのビジネスが広告オークションに参加しがちである。入札者にとっての「満足度」に基づいて、かつ／または売り手にとっての収入を最大化することに基づいて、広告スペースを売るために、これらのオークションは利用される。入札者にとっての満足度すなわち「価値」は、入札者がどれだけ支払う余裕があるかということに、必ずしも基づいていない。入札者は、広告スペースを実際には重んじるかもしれないが、金銭的な条件について多くを提示する余裕はないであろう。それゆえ、満足度は、非常に重要であり、広告主が選択する方法および／または広告がどのように誰に見せられるのかを決定する。満足度のいくつかの評価は、広告の特定の観者がその広告に興味があるかどうかに依存している。これは、決定するのが難しい基準であり得える、なぜならば対象にされた観者についての広告のインタラクション情報は、広告システムおよび／または広告主に容易に利用可能でないからである。
【課題を解決するための手段】
【０００４】
特定のユーザーの広告とのインタラクションは、広告主が彼らの広告キャンペーンをよりよい広告対象へ調整することを可能にする。連合的な（federated）および／または集中化された追跡(tracking)システムは、最適なクライアント／サーバーの情報交換が可能なように採用され得る。インタラクションは、限定されないが、単純なユーザーの印象の追跡以外にも、選択（クリックすることなど）および／または転換(conversions)（購入）などを含み得る。インタラクション情報は、広告キャンペーンを状況に応じて調整することができるように、そのキャンペーンの有効性を決定するために利用し得る。いくつかのインスタンスは、特定のユーザーのインタラクション情報を採用して、例えば、ロケーション、頻度および／または誰に広告がディスプレイされるかを自動的に調整することができる、ディスプレイコンポーネントを含む。インタラクション情報は、その情報および／または彼らの広告キャンペーンの調整などの費用を広告主に請求することによって、収入を産み出すためにも利用することができる。インスタンスは、オンラインおよび／またはオフライン広告メディアで利用することができる。
【０００５】
上述のことは、いくつかの主題の実施形態の基本的な理解を提供するために、主題の簡単な要約を提供する。この要約は、主題の広大な概観ではない。実施形態のキー／臨界要素を認定することや主題の範囲を表すことを意図していない。後述するより詳細な説明の導入部としていくつかの主題を簡単な形式で提供することだけを目的としている。
【０００６】
上述のおよび関連する目的を遂行するために、後述する記載および添付の図面に関連して、実施形態のある程度実例となる態様をここで述べる。これらの態様は、しかしながら、主題の原理が採用されるさまざまな方法のうちの少しのものだけを示しているのであって、主題はそのような態様およびそれらに等しい態様全てを含むよう意図されている。主題の他の利点および新規な特徴は、図面を参照して、後述の詳細な説明を考察することによって明らかになるであろう。
【図面の簡単な説明】
【０００７】
【図１】一実施形態の態様に従った広告のインタラクション追跡システムのブロック図である。
【図２】一実施形態の態様に従った広告のインタラクション追跡システムの他のブロック図である。
【図３】一実施形態の態様に従った、連合した追跡コンポーネントを伴う広告インタラクション追跡システムのブロック図である。
【図４】一実施形態の態様に従った、連合したリポーティングコンポーネントおよび集中化された追跡コンポーネントを伴う広告インタラクション追跡システムのブロック図である。
【図５】一実施形態の態様に従った、ディスプレイコンポーネントを伴う広告インタラクション追跡システムのブロック図である。
【図６】一実施形態の態様に従った、広告の効果を高める方法のフロー図である。
【図７】一実施形態の態様に従った、広告の効果を高める方法によって、収入を産み出す方法のフロー図である。
【図８】実施形態が機能する例示的動作環境を示す図である。
【発明を実施するための形態】
【０００８】
主題は、以下に図面を参照して記述され、類似の参照番号は類似のエレメントを指し示すために用いられる。後述する記載において、説明の意図に関して、主題の全体的な理解を提供するために、多くの特定の詳細が明記される。しかしながら、主題実施例は、これらの特定の詳細なしで実行されてよいことは明白であり得る。他のインスタンスでは、周知の構造およびデバイスが、実施形態を記述することを容易にするためにブロック図の形態で示される。
【０００９】
本発明において使用されるように、「コンポーネント」との用語は、コンピュータ関連の実体物、またはハードウエア、ハードウエアおよびソフトウエアのコンビネーション、ソフトウエア、または実行状態のソフトウエアを示す。例えば、コンポーネントは、プロセッサ上で動作するプロセス、プロセッサ、オブジェクト、実行可能なもの、実行のスレッド、プログラムおよび／またはコンピュータに限定されない。実例によって、サーバー上で動作するアプリケーションおよびサーバーの両方は、コンピュータコンポーネントであり得る。１つまたは複数のコンポーネントは、プロセスおよび／または実行のスレッドの中に存在し得、コンポーネントは、１つのコンピュータに局在してもよく、かつ／または２つ又は３つ以上のコンピュータの間に分散してもよい。ここで使われる「コンピュータシステム」は、例えば、ラップトップ、デスクトップ、モバイルデバイス（例えば、スマートフォンなど）およびメインフレームコンピューティングシステムなどのコンピュータの能力（computing capabilities）を備えたいずれのデバイスを示す。
【００１０】
広告に関連する個々のユーザーインタラクションは、追跡されて、適切な広告のパラメータを決定することを容易にする。これらのパラメータは、限定されないが、金銭的価値、ロケーション、頻度、および／または広告の対象の観者を含み得る。インタラクション情報は、広告システムによって利用されて、広告パラメータを自動的に調整することができ、かつ／または広告主によって利用されて、彼らの広告キャンペーンの調整の議論することができる。広告インタラクションは、オンラインおよび／またはオフラインで追跡されて、クライアント側および／またはサーバー側において、構成およびメカニズムを追跡できるようにすることができる。
【００１１】
図１に示された広告インタラクション追跡システム１００は、広告インタラクション情報１０４を受け取って、特定のユーザーのインタラクション情報１０６を提供する、広告ユーザーインタラクションコンポーネント１０２を利用する。広告インタラクション情報１０４は、限定されないが、選択（例えば、広告上でクリックするなど）および／または転換（例えば、広告に基づく購入）などの特定のユーザー広告インタラクションを含み得る。インタラクションは、追加的なユーザーの関与を持つことのない、まったく単純な印象を含まない。典型的には、情報１０４は、特定のユーザーを追跡するために利用することができるユーザー識別の形式を含む。これは、たとえば、グローバリーユニーク識別子（ＧＵＩＤ）などを含んでいる。広告ユーザーインタラクションコンポーネント１０２は、広告インタラクション情報１０４を採用して、個々のユーザーを追跡するとともに彼らのインタラクションを特定の広告と結合して、特定のユーザーのインタラクション情報１０６を提供する。 
一意のユーザーＩＤが可能であれば、特定のユーザーのインタラクションはユーザーが広告とインタラクションする時にどこにいるかにかかわらず追跡することができる。それゆえ、ＩＤが決定されえる限り、異なるコンピューティングデバイスおよび／または異なるロケーションなどでも、ユーザーを追跡できる。広告ユーザーインタラクションコンポーネント１０２は、広告インタラクション情報１０４を、リアルタイムでおよび／または遅延して、受け取ることができる。ここで提供されるいくらかのインスタンスは、ユーザーのオフラインの広告インストラクションを追跡でき、ユーザーが再びオンラインになったときに、それらを、広告ユーザーインタラクションコンポーネント１０２に提供できる。
【００１２】
特定のユーザーのインタラクション情報１０６は、限定されないが、特定の広告についてのユーザーインタラクション情報以外に、ロケーション、広告のサイズ、時間帯、印象の持続時間、印象の頻度および／または対象データなどの特定の広告情報を含む。特定のユーザーのインタラクション情報１０６は、広告システムによって利用されて、例えば、広告パラメータ（例えば新しい対象観者、広告の除去、広告の置換、延長期間、より頻繁な印象など）を自動的に調整し、かつ／または広告主によって利用されて、それらが、彼らの広告キャンペーンなどを調整することを可能にしている。特定のユーザーのインタラクション情報１０６は、広告オークションシステムとともにまた利用されて、競売価格、広告主の競売権限および／または広告配置などを調整することを可能としている。
【００１３】
他の広告インタラクション追跡システム２００は、図２に図示されており、広告ユーザーインタラクションコンポーネント２０２を採用して、広告インタラクション情報２０４を取得することともに、特定のユーザーのインタラクション情報２０６を提供する。広告ユーザーインタラクションコンポーネント２０２は、インタラクション受信コンポーネント２０８およびインタラクション追跡コンポーネント２１０を利用する。インタラクション受信コンポーネント２０８は、広告インタラクション情報２０４を取得する。これは、局在化された発生ポイントにおける直接入力（例えば、ユーザーコンピューティングデバイスにおいて、ウェブサーフィンする際に集められた入力など）かつ／または発生ポイントから遠隔のロケーションから（例えばインターネットを介して集められたデータなど）のものによって達成され得る。
【００１４】
インタラクション追跡コンポーネント２１０は、広告インタラクション情報２０４を、インタラクション受信コンポーネント２０８から受け取り、それを処理して特定のユーザーのインタラクション情報２０６を決定する。これは、限定されないが、どのユーザーが特定の広告かつ／または広告主などとインタラクションするかを決定することを含み得る。かくして、特定のユーザーの情報２０８は、特定の広告および／または特定の広告主（例えば、特定の広告主からの広告のセット）などに関連する情報を示すことができる。
【００１５】
連合した追跡コンポーネント３０４、３０６を備えた広告インタラクション追跡システム３００は、図３に図示されている。この図示において、広告インタラクション追跡システム３００は、クライアント側およびサーバー側に存在する、コンポーネント３０４、３０６を備えたインタラクション追跡コンポーネント３０２を利用する。クライアント追跡コンポーネント３０４は、単一のクライアントコンピューティングデバイスおよび／または複数のコンピューティングデバイスに存在することができる。クライアント追跡コンポーネント３０４は、ユーザー広告インタラクションを追跡し、集中化された追跡コンポーネント３０６に追跡されたインタラクションを送る。
【００１６】
各クライアント追跡コンポーネント３０４は、ユーザーの広告インタラクションを自由に追跡することができるので、クライアント追跡コンポーネント３０４が集中化された追跡コンポーネント３０６と一定の通信をする必要はない。かくして、インタラクション情報は、オフラインで追跡され、かつクライアントサーバー通信が再確立されたときに集中化された追跡コンポーネント３０６に送られることが可能である。たとえば、ユーザーオフライン閲覧のための一連のウェブサイトをダウンロードすることができる。ウェブサイトで発見された広告とユーザーがインタラクションする間、この情報は、クライアント追跡コンポーネント３０４を利用して追跡される。
【００１７】
ユーザーは、インターネット（または他の通信手段）にログを返す時、クライアント追跡コンポーネント３０４は集中化された追跡コンポーネント３０４に追跡情報をアップロードすることができる。集中化された追跡コンポーネント３０６を採用することによって、特定のユーザーは、広告とインタラクションするときにどのコンピュータを利用しているかにかかわらず追跡され得る。したがって、ユーザーが自分の他のモバイルデバイス、ラップトップ、ホームデスクトップおよび／またはワークコンピュータなどを使用しても、追跡され得る。集中化された追跡コンポーネント３０６は、追跡情報を処理し、広告システムで利用するための、および／または広告主などに普及させるための、複合した特定のユーザーのインタラクション情報３０８を提供する。
【００１８】
図４に示される他のインスタンスにおいて、広告インタラクション追跡システム４００は、連合した理ポーティングコンポーネント４０４および集中化された追跡コンポーネント４０６を利用するインタラクション追跡コンポーネント４０２を採用する。この例において、クライアントリポーティングコンポーネント４０４は、１または複数のクライアントコンピューティングシステムに存在し、かつ集中化された追跡コンポーネント４０６にリポート（report:報告）する。クライアントリポーティングコンポーネント４０４は、ユーザー広告インタラクション情報を、集中化された追跡コンポーネント４０６に、典型的には、発生するごとに送る。かくして、広告にユーザーがインタラクションする時に、クライアントリポーティングコンポーネント４０４は、この情報を、集中化された追跡コンポーネント４０６に送る。典型的に、これはクライアントリポーティングコンポーネント４０４および集中化された追跡コンポーネント４０６が、実質的に互いに一定の通信状態にあることを必要とする。クライアントリポーティングコンポーネント４０４は、ユーザーインタラクションを追跡しないが、生の（raw）情報を、集中化された追跡コンポーネント４０６に単にリポートするので、サイズがより小さくなり、かつより少ないシステムリソースを使用することができる。
【００１９】
従来の２つの例は、連合されたコンポーネントを使用して、広告インタラクション追跡システムを生み出すことは評価できる。他のインスタンスは、サーバー側により収集された追跡情報を利用する単一の集中化された追跡コンポーネントが採用されるために、上述のシステムの混合、および／または統合した構造を採用することができる。かくして、ユーザーがオンライン広告とインタラクションする時に、これらの広告をホスティングするウェブサイトは、アクティビティを、インタラクション追跡コンポーネント（例えば、広告システム）および／またはインタラクティブ追跡コンポーネントに後でそのアクティビティを提供する広告主に、直接リポートすることができる。
【００２０】
図５に示される広告インタラクション追跡システム５００は、インタラクションベースのディスプレイコンポーネント５１０を含む広告ユーザーインタラクションコンポーネント５０２を利用する。このことにより、広告インタラクションシステム５００が、広告をディスプレイするときに、ユーザーインタラクションを捕らえることができる。インタラクション追跡コンポーネント５０８は、広告インタラクション情報５０４を取得し、かつ追跡した情報を、インタラクションベースのディスプレイコンポーネント５１０に提供する。インタラクションベースのディスプレイコンポーネント５１０は、追跡した情報に加えて、広告主情報も組み入れて、インタラクションに偏した広告５０６を提供することができる。他のインスタンスにおいて、広告主情報５１２は、インタラクション追跡コンポーネント５０８に送られるとともに、インタラクションベースのディスプレイコンポーネント５１０に提供され得る。広告主情報５１２は、限定されないが、広告主の嗜好（advertiser preferences）、特定のユーザーについての転換情報、広告インタラクション情報５０４に基づいた入札量、および／または広告インタラクション情報５０４に基づく配置パラメータなどを含み得る。インタラクションベースのディスプレイコンポーネント５１０は、インタラクションに偏した広告５０６を自動的に（これは継続したプロセスであり得、かつ／またはそれは到達されたユーザーインタラクションのある閾値に基づき得る、などである。）提供でき、かつ／または広告主および／または広告システムなどによって誘発された時に、それはそれを提供することができる。
【００２１】
オンラインおよびオフラインの電子的広告は、増大し、かつ人々がコンピュータ／ソフトウエアを使用するより多くの時間を費やすにつれてより重要になってきているので、サービスおよびソフトウエアが広告を経由して増大して見られるようになるにつれて、ここで提供されるインスタンスは、広告システムおよび広告主にとって大変に価値がある。これらのインスタンスを利用することによって、広告システムの広告主にとっての価値は、以前の顧客へ広告を向けることができるようにすることによって、実質的に増大している。今日、ほとんどの電子的広告は、関連したシナリオ（例えばウェブブラウザを経由して、インスタントメッセンジャクライアント、など）でなされるが、将来は、インター念となどのネットワークに時折接続されるソフトウエアシステムにおいて広告が存在するだろう。例示的な広告は、ウェブページにおける画像およびテキスト広告と検索結果ページなどにおけるテキスト広告を含み、メディアのタイプは、限定されないが、ビデオ広告、有料検索広告、グラフィカル広告、文脈的な広告（contextual advertisements)および／またはアニメーション化された広告などを含む。
【００２２】
現在のオンライン広告システムは、例えば、年齢、性別、ロケーションおよびいくつかの行動の種類（例えば、スポーツに熱中している人）などの人口統計的特徴などの顧客の特徴についての結果（function :機能、作用）のように、広告主が広告を顧客に向けることを可能にしている。これらの特徴は有用であるが、顧客が例えば以前の顧客であり、かつ／または特定の広告などに以前興味を示したことはしばしばもっと有用である。現在のオンライン広告システムは、広告主および／または広告に対しての顧客の以前のインタラクション（例えば、単に単純な印象を超えた広告に関与すること）の結果のように、広告主が、広告を向けることを可能としていない。そのようなターゲッティングを広告主に可能とすることは、実質的価値を広告主にもたらす。重要な顧客情報の例は、企業の広告にクリックしたか？、何回？顧客は転換したか（例えば、企業から商品を購入した）？、何回？を含む。
【００２３】
これらの情報の種類を決定するために、ここで提供されるインスタンスは、追跡コンポーネントおよび／またはディスプレイコンポーネントを含み得る。例えば、情報は、サーバーおよび／またはクライアントにストア(store:記憶)されることができる。クライアントを使用した１つの実行において、ユーザーは、彼らのコンピュータにストアされた固有の識別子（ＧＵＩＤ）を付与される。広告が、消費者によって示され、またはクリックされた時に、このＧＵＩＤは、サーバーによってアクセスされ、この情報は、クライアントのクッキーの中にログが記録される。ユーザーが時折オフラインにもなるシステムにおいて、ログを記録することは、クライアントで行われること、および／またはオフラインシステムがネットワーク／インターネットに接続する時に、選択情報がサーバーにアップロードされ得ることのいずれかで行われ得る。
【００２４】
現在の広告についての支払いシステムは、ディスプレイ広告についての印象および検索広告の選択に基づいているので、これら両方は、オンライン広告システムで追跡するのは容易である。加えて、どちらも、広告主に、彼らの振る舞いを変更することを要求しない。購入を追跡することは、広告主が、会話の追跡を可能とすることを必要としている。これは、典型的には、会話ページの代わりに、「明らかな指標(clear gif)」を追加すること（例えば、ウェブビーコン機構を提供すること）によってなされる。「明らかな指標」は、広告システムがユーザーのＧＵＩＤを含むクッキーにアクセスできるようにする広告システムのドメインを示す。この追跡の種類は、現在オンライン広告システムによって提供される。
【００２５】
広告主は、上述した情報の結果として、彼らの広告の外観およびディスプレイを変更することをも望むかもしれない。変更の例は、限定されないが、以下のことを含む。
・広告のリストにおいて、特定のスポット（例えば、トップの位置）を保証すること  「戻ってきた顧客」を有する１以上の広告主が存在する場合、位置は抽選で決めることができる。検索広告システムにおいて、広告主は、トップ位置についての利用料が請求されるかもしれない。
・広告についての選択的な取り扱いを提供すること（例えば、ディスプレイ広告システムにおいて示されることから他の広告を先取する）
・広告に関連するコピーおよび／またはグラフィックを変えること
・広告主が、この情報の結果により、印象についてのオークションにおける彼らの入札を変更することを可能にする
・広告主は、顧客情報を使用することについて均一の料金が請求され、または情報の使用毎に均一料金が請求される。
広告主が、広告主の広告やウェブサイトなどに関する消費者の行動を入札できるようにすることに加えて、広告主は、競業者などの特定の他のサイト／広告における消費者の行動の基礎を入札できる。
【００２６】
以上に示されかつ記述される例示的システムから考えて、方法は、図６および７のフローチャートを参照して、よりよく評価されるであろう実施形態に従った実施であり得る。説明の簡単のために、方法は、一連のブロックとして示され、かつ記述される一方、実施形態によれば、いくらかのブロックが異なる順序および／または他のブロックとともに、ここで示され、記述されることから発生するので、実施形態は、ブロックの順序で限定されないことが理解され、評価されるべきである。さらに言うと、全ての図示されたブロックは実施形態に従った方法を実施するために必要とされなくてもよい。
【００２７】
実施形態は、１又は複数のコンポーネントにより実行される、プログラムモジュールなどのコンピュータ実行可能命令の一般的コンテキストで記述されてよい。一般に、プログラムモジュールは、特定のタスクを遂行し、かつ特定の概念データタイプを実施する、ルーチン、プログラム、オブジェクト、データ構造などを含んでいる。典型的には、プログラムモジュールの機能性は、必要に応じて実施形態の様々なインスタンスで、結合され、または分散されてもよい。
【００２８】
図６に、実施形態の一態様に従った、効果が高められた広告についての方法６００のフロー図が示されている。方法６００は、所与の広告および／または広告主とのユーザーインタラクションを追跡する６０４ことによって開始６０２する。インタラクションは、サーバー側および／またはクライアント側の機構から追跡され得る。インタラクションは、単に目撃した以上の広告に対するユーザーの関与および／または印象についての可能な露出を含む。かくして、追跡情報は、局所的にストアされ、かつ便利な時および／またはクライアントとサーバーとの間で通信が許可された時に、集中化されたサーバー機構（例えばサーバー上でストア／使用するための）に送られ得る。生のインタラクション情報は、同様に追跡目的のためにサーバー機構にリアルタイムで実質的に送られることもできる。
【００２９】
追跡されたユーザーインタラクションに関連する情報は、少なくとも部分的に、採用されて、広告選択、ロケーション、露出、および／またはユーザーとの将来の広告インタラクションの金銭化（monetization）を決定６０６し、フローは終了６０８する。追跡された、広告とのユーザーインタラクションは、直接的および／または間接的に広告の配置および／または提示に関連した影響パラメータ、および／または広告などに関連する将来的収入に採用され得る。例えば、広告主は、現在のユーザーなどとインタラクションの程度に基づく手数料（premium）が選択されたおよび／または請求され得る。転換情報は、例えば、広告主などから取得されて、広告パートナーを決定するのを容易にできる。
【００３０】
図７に転ずると、実施形態の態様に従って広告をより効果的にすることによって収入を産み出す方法７００のフロー図が図示されている。方法７００は、特定のユーザーの広告インタラクション情報を取得する７０４ことによって、開始７０２する。特定のユーザーの広告インタラクション情報は、サーバー側および／またはクライアント側追跡機構から取得され得る。収入は、広告主に情報について費用を請求し、かつ／または情報に基づいてより効果的な広告キャンペーンについて費用を請求することによって、特定のユーザーの広告インタラクションから発生７０６し、フローは終了７０８する。対象となるユーザーへの広告キャンペーンを行うユーザーの有効性を示すので、追跡されたユーザーインタラクション情報は、広告主にとって非常に価値がある。この情報は、実質的には、キャンペーンのコストを減少させ、同時に、その有効性を劇的に向上させることができる。
【００３１】
図８は、実施形態が相互作用することができるサンプルコンピューティング環境８００のブロック図である。システム８００は、１または複数のクライアントを含むシステムをさらに図示している。クライアント８０２は、ハードウエアおよび／またはソフトウエア（例えばスレッド、プロセス、コンピューティングデバイス）であり得る。システム８００は、１または複数のサーバー８０４も含んでいる。サーバー８０４は、ハードウエアおよび／またはソフトウエア（例えばスレッド、プロセス、コンピューティングデバイス）であり得る。クライアント８０２およびサーバー８０４の間の１つの可能な通信は、２またはそれ以上のコンピュータプロセスの間で運搬されるよう適合したデータパケットの形態であり得る。システム８００は、採用されて、クライアント８０２およびサーバー８０４の間の通信を容易にすることができる、通信フレームワーク８０８を含む。クライアント８０２は、採用されて、クライアント８０２に局所的に情報をストアすることができる、１または複数のクライアントデータストア８１０に接続されている。同様に、サーバー８０４は、サーバー８０４に局所的に情報をストアすることができる、１又は複数のサーバーデータストア８０６に接続されている。
【００３２】
実施形態のシステムおよび／または方法は、コンピュータコンポーネントおよび非コンピュータ関連コンポーネントなどで容易化する、ユーザーインタラクションに偏した広告で利用され得る。さらに、当業者は、実施形態のシステムおよび／または方法が、限定されないが、コンピュータ、サーバーおよび／またはハンドヘルド電子デバイスなどを含む電子的に関連する技術の広大な配置において、採用され得る。
【００３３】
上記に記載されたことは、実施形態の例示を含む。当然、すべての考えられるコンポーネントの組み合わせ、または実施形態を記述の意図にかかる方法を記述することが可能であるが、当業者は実施形態の更なる組み合わせや入れ替えを理解するだろう。したがって、主題は、添付の特許請求の範囲の精神および範囲内となる代替、修正、バリエーションを全て含むよう意図されている。さらに、「含む」という用語が詳細な説明または特許請求の範囲のいずれかにおいて使用される限りにおいて、そのような用語は、「備える」は、請求項における移行語として採用されたとき、翻訳されるので、用語「備える」と同様の態様で含まれるよう意図される。
【図１】
2010510579.tif 000003
【図２】
2010510579.tif 000004
【図３】
2010510579.tif 000005
【図４】
2010510579.tif 000006
【図５】
2010510579.tif 000007
【図６】
2010510579.tif 000008
【図７】
2010510579.tif 000009
【図８】
2010510579.tif 000010
【国際調査報告】
2010510579.tif 000011
2010510579.tif 000012